(57)【要約】      （修正有）【課題】２次元のＣＧＨにおいて、回折されない０次回折光成分を小さくし、ノイズを少なくすることが可能なホログラムの提供。【解決手段】Ｎ段階の高さを有するＤｘ×Ｄｙの単位のセルをＭｘ×Ｍｙ個備え、ＤｘとＤｙのうち小さい方の寸法をＤ、記録波長をλ、記録材料周囲の屈折率をn1、記録材料の屈折率をn2とすると、以下の条件式（１）を満足し、第２のセルに隣接している側の第１のセルの高さを、第１のセルの他の部分の高さより低くすることで細線化し、その寸法Ｄに対する割合を細線化率r1とすると、以下の条件式（２）を満足し、スカラー理論による最適溝深さをd0=(N-1)λ/[N(n2-n1)]とすると、実際の溝深さdとの比が、以下の条件式（３）を満足することを特徴とする。(n1D/λ)2＜(d/d0)[(N-1)π/N]/[(n2/n1)2-1]（１）8.6%＜r1＜18.4%（２）d/d0≧1.17（３）【選択図】図８
2012027049.tif 000002
【特許請求の範囲】
【請求項１】
計算機を用いた演算により記録材料に原画像を干渉縞として記録する透過型のホログラムにおいて、
前記記録材料に最も低い段階を１段階として１〜Ｎ段階のうちそれぞれ所定の段階の高さを有するＤｘ×Ｄｙの単位のセルをＭｘ×Ｍｙ個備え、
ＤｘとＤｙのうち小さい方の寸法をＤ、記録波長をλ、前記セルの高さの段数をＮ、前記記録材料周囲の屈折率をn1、前記記録材料の屈折率をn2とすると、以下の条件式（１）を満足し、
２段階以上の高さを有する第１のセルに対して、隣接する第２のセルの高さが第１のセルと比較して１段階以上低い場合、前記第１のセルのうち前記第２のセルに隣接している側の前記第１のセルの高さを、前記第１のセルの他の部分の高さより低くすることで前記第１のセルを細線化し、
前記第１のセルの他の部分より高さの低い部分の前記第１のセルの寸法Ｄに対する割合を細線化率r1とすると、以下の条件式（２）を満足し、
スカラー理論による最適溝深さをd0=(N-1)λ/[N(n2-n1)]とすると、実際の溝深さdとの比が、以下の条件式（３）を満足することを特徴とするホログラム。
(n1D/λ)2 ＜ (d/d0)[(N-1)π/N]/[(n2/n1)2-1]      （１）
8.6%  ＜  r1  ＜  18.4%                        （２）
d/d0  ≧  1.17                                  （３）
【請求項２】
以下の条件式（４）及び条件式（５）を満足することを特徴とする請求項１に記載のホログラム。
0.0029r1＋1.1474  ≦  d/d0  ≦  0.0243r1＋1.1571    （４）
-0.0343r1＋2.3949  ≦  n2/n1  ≦  -0.0175r1＋2.7625  （５）
【請求項３】
計算機を用いた演算により記録材料に原画像を干渉縞として記録する反射型のホログラムにおいて、
前記記録材料に最も低い段階を１段階として１〜Ｎ段階のうちそれぞれ所定の段階の高さを有するＤｘ×Ｄｙの単位のセルをＭｘ×Ｍｙ個作製し、
ＤｘとＤｙのうち小さい方の寸法をＤ、記録波長をλ、前記セルの高さの段数をＮ、前記記録材料周囲の屈折率をn1、前記記録材料の屈折率をn2、naは平均屈折率((n1＋n2)/2)とすると、以下の条件式（６）を満足し、
２段階以上の高さを有する第１のセルに対して、隣接する第２のセルの高さが第１のセルと比較して１段階以上低い場合、前記第１のセルのうち前記第２のセルに隣接している側の前記第１のセルの高さを、前記第１のセルの他の部分の高さより低くすることで前記第１のセルを細線化し、
前記第１のセルの他の部分より高さの低い部分の前記第１のセルの寸法Ｄに対する割合を細線化率r2とすると、以下の条件式（７）を満足し、
スカラー理論による最適溝深さをd0=(N-1)λ/(2Nn1)とすると、実際の溝深さdとの比が、以下の条件式（８）を満足することを特徴とするホログラム。
(n1D/λ)2 ＜ (d/d0)[(N-1)π/N]/[4(na/n1)]        （６）
0%  ＜  r2  ≦  20%                             （７）
d/d0  ≧  1.0                                   （８）
【請求項４】
以下の条件式（９）を満足することを特徴とする請求項３に記載のホログラム。
0.005r2＋1≦d/d0≦1.3                            （９）
【請求項５】
前記条件式（７）及び条件式（８）に代えて、以下の条件式（７−１）及び条件式（８−１）を満足することを特徴とする請求項３に記載のホログラム。
7.2%  ≦  r2  ≦  14%                         （７−１）
d/d0  ≧  1.05                                （８−１）
【請求項６】
以下の条件式（９−１）を満足することを特徴とする請求項５に記載のホログラム。
0.005r2＋1≦d/d0≦0.0035r2＋1.231              （９−１）
【請求項７】
以下の条件式（１０）を満足することを特徴とする請求項３乃至請求項６のいずれか１つに記載のホログラム。
n1  ＞  １                                   （１０）
【請求項８】
以下の条件式（１１）を満足することを特徴とする請求項７に記載のホログラム。
d/d0  ＝  1.1                                （１１）
【発明の詳細な説明】
【技術分野】
【０００１】
本発明は、ホログラムに関し、特に、３次元ＣＧデータを基に、干渉縞パターンを計算機シミュレーションで生成し、生成した干渉縞パターンを微細加工することで作成する計算機合成ホログラム（以下、ＣＧＨ（Computer Generated Hologram）という）に関するものである。
【背景技術】
【０００２】
近年、被写体を３次元ＣＧ（Computer Graphics）の形状及び材質データとして用意し、３次元ＣＧデータを基に、従来のホログラムの作成方法でホログラム記録材料に記録した干渉縞と同様の干渉縞パターンを計算機シミュレーションで生成し、生成した干渉縞パターンを微細加工することで作成するＣＧＨが実用化されている。ＣＧＨを用いると実物を用意できない被写体のホログラムを作成することができるため、偽造防止効果の高いホログラムとして注目されている。
【０００３】
また、ＣＧＨの格子状の溝の底面の縦横の長さを使用する光線の波長以下とすることで、不要回折光をなくし、ゴースト、フレアを防止するとともに、回折効率の向上により明るく表示する技術が開示されている（特許文献１参照）。
【０００４】
また一方で、透明基板の１面に格子状の断面略矩形の凹溝と凸条の繰り返しパターンが設けられ、その繰り返しパターンによる紫外線露光光の回折光相互の干渉縞により光導波路中に回折格子を形成する位相マスクにおいて、凹溝と凸状の繰り返しパターンの周期が波長オーダーになると０次光成分が透過してしまいノイズとなるという課題を解決するための条件を設定した技術が開示されている（特許文献２参照）。
【先行技術文献】
【特許文献】
【０００５】
【特許文献１】特開２００１−２３５６０７号公報
【特許文献２】特開２００５−１４１０７５号公報
【発明の概要】
【発明が解決しようとする課題】
【０００６】
しかしながら、特許文献２に記載された技術は、凹溝と凸条が１次元で繰り返すパターンに関する条件であり、特許文献１に記載されたような２次元のＣＧＨには適用することが困難であった。
【０００７】
本発明は従来技術のこのような問題点に鑑みてなされたものであり、その目的は、２次元のＣＧＨにおいて、回折されない０次回折光成分を小さくし、ノイズを少なくすることが可能なホログラムを提供することである。
【課題を解決するための手段】
【０００８】
本発明のホログラムは、計算機を用いた演算により記録材料に原画像を干渉縞として記録する透過型のホログラムにおいて、前記記録材料に最も低い段階を１段階として１〜Ｎ段階のうちそれぞれ所定の段階の高さを有するＤｘ×Ｄｙの単位のセルをＭｘ×Ｍｙ個備え、ＤｘとＤｙのうち小さい方の寸法をＤ、記録波長をλ、前記セルの高さの段数をＮ、前記記録材料周囲の屈折率をn1、前記記録材料の屈折率をn2とすると、以下の条件式（１）を満足し、２段階以上の高さを有する第１のセルに対して、隣接する第２のセルの高さが第１のセルと比較して１段階以上低い場合、前記第１のセルのうち前記第２のセルに隣接している側の前記第１のセルの高さを、前記第１のセルの他の部分の高さより低くすることで前記第１のセルを細線化し、前記第１のセルの他の部分より高さの低い部分の前記第１のセルの寸法Ｄに対する割合を細線化率r1とすると、以下の条件式（２）を満足し、スカラー理論による最適溝深さをd0=(N-1)λ/[N(n2-n1)]とすると、実際の溝深さdとの比が、以下の条件式（３）を満足することを特徴とする。
(n1D/λ)2 ＜ (d/d0)[(N-1)π/N]/[(n2/n1)2-1]      （１）
8.6%  ＜  r1  ＜  18.4%                         （２）
d/d0  ≧  1.17                                  （３）
【０００９】
また、以下の条件式（４）及び条件式（５）を満足することを特徴とする。
0.0029r1＋1.1474  ≦  d/d0  ≦  0.0243r1＋1.1571    （４）
-0.0343r1＋2.3949  ≦  n2/n1  ≦  -0.0175r1＋2.7625  （５）
【００１０】
さらに、本発明のホログラムは、計算機を用いた演算により記録材料に原画像を干渉縞として記録する反射型のホログラムにおいて、前記記録材料に最も低い段階を１段階として１〜Ｎ段階のうちそれぞれ所定の段階の高さを有するＤｘ×Ｄｙの単位のセルをＭｘ×Ｍｙ個作製し、ＤｘとＤｙのうち小さい方の寸法をＤ、記録波長をλ、前記セルの高さの段数をＮ、前記記録材料周囲の屈折率をn1、前記記録材料の屈折率をn2とすると、以下の条件式（６）を満足し、２段階以上の高さを有する第１のセルに対して、隣接する第２のセルの高さが第１のセルと比較して１段階以上低い場合場合、前記第１のセルのうち前記第２のセルに隣接している側の前記第１のセルの高さを、前記第１のセルの他の部分の高さより低くすることで前記第１のセルを細線化し、  前記第１のセルの他の部分より高さの低い部分の前記第１のセルの寸法Ｄに対する割合を細線化率r2とすると、以下の条件式（７）を満足し、スカラー理論による最適溝深さをd0=(N-1)λ/(2Nn1)とすると、実際の溝深さdとの比が、以下の条件式（８）を満足することを特徴とする。
(n1D/λ)2 ＜ (d/d0)[(N-1)π/N]/[4(na/n1)]        （６）
0%  ＜  r2  ≦  20%                              （７）
d/d0  ≧  1.0                                   （８）
【００１１】
また、以下の条件式（９）を満足することを特徴とする。
0.005r2＋1≦d/d0≦1.3                            （９）
【００１２】
また、前記条件式（７）及び条件式（８）に代えて、以下の条件式（７−１）及び条件式（８−１）を満足することを特徴とする。
7.2%  ≦  r2  ≦  14%                         （７−１）
d/d0  ≧  1.05                                （８−１）
【００１３】
また、以下の条件式（９−１）を満足することを特徴とする。
0.005r2＋1≦d/d0≦0.0035r2＋1.231              （９−１）
【００１４】
また、以下の条件式（１０）を満足することを特徴とする。
n1  ＞  １                                   （１０）
【００１５】
以下の条件式（１１）を満足することを特徴とする。
d/d0  ＝  1.1                                （１１）
【発明の効果】
【００１６】
本発明によれば、２次元のＣＧＨにおいて、回折されない０次回折光成分を小さくし、ノイズを少なくすることが可能なホログラムを提供することが可能となる。また、細線化率と溝深さを適切に選択することにより、０次回折光成分をさらに小さくすることが可能となる。
【図面の簡単な説明】
【００１７】
【図１】計算機合成ホログラムの記録方法の概念を示す斜視図である。
【図２】図１の演算処理の概念に基づく具体例を示す図である。
【図３】干渉波強度分布から二値画像を得る概念を示す図である。
【図４】記録面状に格子状に配列された領域を示す図である。
【図５】各領域の２値化された干渉縞強度を示す図である。
【図６】二値パターンの構成を示す図である。
【図７】図６のＡ−Ａ断面図である。
【図８】凸部を細線化した記録面を示す図である。
【図９】図８のＢ−Ｂ断面図である。
【図１０】透過型ホログラムを再生した図である。
【図１１】実施例１の回折光パターンを示す図である。
【図１２】実施例２の回折光パターンを示す図である。
【図１３】実施例３の回折光パターンを示す図である。
【図１４】実施例４の回折光パターンを示す図である。
【図１５】実施例５の回折光パターンを示す図である。
【図１６】実施例６の回折光パターンを示す図である。
【図１７】実施例７の回折光パターンを示す図である。
【図１８】透過型ホログラムの細線化率r1と０次光回折効率の関係を示すグラフである。
【図１９】透過型ホログラムの細線化率r1とd/d0の関係を示すグラフである。
【図２０】透過型ホログラムの細線化率r1とコントラストの関係を示すグラフである。
【図２１】透過型ホログラムの細線化率r1とd/d0の関係を示すグラフである。
【図２２】透過型ホログラムの細線化率r1とn2/n1の関係を示すグラフである。
【図２３】反射型ホログラムを再生した図である。
【図２４】反射型ホログラムの細線化率r2と０次光回折効率の関係を示すグラフである。
【図２５】反射型ホログラムの細線化率r2とd/d0の関係を示すグラフである。
【図２６】反射型ホログラムの細線化率r2とコントラストの関係を示すグラフである。
【図２７】反射型ホログラムの細線化率r2とd/d0の関係を示すグラフである。
【図２８】d/d0とn1の値に対する反射回折効率を示すグラフである。
【発明を実施するための形態】
【００１８】
以下、図面を参照にして本実施形態の計算機合成ホログラムを説明する。図１乃至図７は、計算機合成ホログラムを作成する原理を示す。
【００１９】
本実施形態では、図１に示すように、原画像１０を記録面２０上に干渉縞として記録する方法を用いる。ここでは、説明の便宜上、図示のとおりＸＹＺ三次元座標系を定義し、記録面２０がＸＹ平面上に置かれているものとする。光学的な手法を採る場合、記録対象となる物体が原画像１０として用意されることになる。この原画像１０上の任意の点Ｐから発せられた物体光Ｏは、記録面２０の全面に向けて進行する。一方、記録面２０には、参照光Ｒが照射されており、物体光Ｏと参照光Ｒとの干渉縞が記録面２０上に記録されることになる。
【００２０】
記録面２０の位置に計算機ホログラムを作成するには、原画像１０、記録面２０、参照光Ｒを、コンピュータ上にデータとしてそれぞれ定義し、記録面２０上の各位置における干渉波強度を演算すればよい。具体的には、図２に示すように、原画像１０をＮ個の点光源Ｐ1，Ｐ2，Ｐ3，…，Ｐi，…，ＰNの集合として取り扱い、各点光源からの物体光Ｏ1，Ｏ2，Ｏ3，…，Ｏi，…，ＯNが、それぞれ演算点Ｑ（ｘ，ｙ）へと進行するとともに、参照光Ｒが演算点Ｑ（ｘ，ｙ）に向けて照射されたものとし、これらＮ本の物体光Ｏ1〜ＯNと参照光Ｒとの干渉によって生じる干渉波の演算点Ｑ（ｘ，ｙ）の位置における振幅強度を求める演算を行えばよい。物体光および参照光は、通常、単色光として演算が行われる。記録面２０上には、必要な解像度に応じた多数の演算点を定義するようにし、これら各演算点のそれぞれについて、振幅強度を求める演算を行えば、記録面２０上には干渉波の強度分布が得られることになる。
【００２１】
このような強度分布を示す画像データに基づいて、実際の媒体上に物理的な濃淡パターンやエンボスパターンを形成すれば、原画像１０を干渉縞として記録したホログラムが作成できる。媒体上に高解像度の干渉縞を形成する手法としては、電子線描画装置を用いた描画が適している。電子線描画装置は、半導体集積回路のマスクパターンを描画する用途などに広く利用されており、電子線を高精度で走査する機能を有している。そこで、演算によって求めた干渉波の強度分布を示す画像データを電子線描画装置に与えて電子線を走査すれば、この強度分布に応じた干渉縞パターンを描画することができる。
【００２２】
ただ、一般的な電子線描画装置は、描画／非描画を制御することにより二値画像を描画する機能しか有していない。そこで、演算によって求めた強度分布を二値化して二値画像を作成し、この二値画像データを電子線描画装置に与えるようにすればよい。
【００２３】
図３は、このような二値化処理を用いて干渉縞パターンを記録する一般的な方法の概念図である。上述した演算により、記録面２０上の各演算点Ｑ（ｘ，ｙ）には、所定の干渉波強度値、すなわち干渉波の振幅強度値が定義されることになる。たとえば、図３(a) に示す演算点Ｑ（ｘ，ｙ）にも、所定の振幅強度値が定義される。そこで、この振幅強度値に対して所定のしきい値（たとえば、記録面２０上に分布する全振幅強度値の平均値）を設定し、このしきい値以上の強度値をもつ演算点には画素値「１」を与え、このしきい値未満の強度値をもつ演算点には画素値「０」を与えるようにする。したがって、図３(a) に示す演算点Ｑ（ｘ，ｙ）には、「１」か「０」のいずれかの画素値が定義されることになる。
【００２４】
そこで、図３ (b) に示すように、この演算点Ｑ（ｘ，ｙ）の位置に単位領域Ｕ（ｘ，ｙ）を定義し、この単位領域Ｕ（ｘ，ｙ）を「１」か「０」のいずれかの画素値をもった画素として取り扱うようにすれば、所定の二値画像を得ることができる。この二値画像のデータを電子線描画装置に与えて描画を行えば、物理的な二値画像として干渉縞を描画することができる。実際には、この物理的に描画された干渉縞に基づいて、たとえばエンボス版を作成し、このエンボス版を用いたエンボス加工を行うことにより、表面に干渉縞が凹凸構造として形成されたホログラムを量産することができる。
【００２５】
図４には、記録面２０上に二次元配列された単位領域Ｕ１〜Ｕ２４が示されている。この例では、いずれの単位領域も、一辺が２μｍの正方形となっているが、これは、記録面２０上に定義された演算点Ｑ１〜Ｑ２４が縦横に２μｍピッチで配置されているためである。記録面２０上に定義される演算点は、いわば干渉波強度のサンプル点としての機能を果たすことになるので、原画像１０上に定義された点光源のピッチ、原画像１０と記録面２０との距離、参照光Ｒの方向、波長などの光学的な条件設定を考慮して、干渉縞を記録するのに最適なピッチで配置すればよい。図４に示す例では、演算点Ｑのピッチは縦横ともに２μｍとしているが、縦横のピッチを変えるようにしてもよい（この場合、各単位領域は長方形となる）。また、図４に示す例では、正方形状の単位領域の中心点が各演算点上に重なるように、個々の単位領域を個々の演算点上に配置しているが、単位領域と演算点との位置関係は、必ずしもこのとおりにする必要はない。たとえば、各単位領域の左上隅点を基準点として定め、この左上隅点の基準点が演算点上に重なるように、個々の単位領域を配置してもかまわない。
【００２６】
上述したように、この図４に示す各演算点Ｑ１〜Ｑ２４には、それぞれ所定の干渉波強度値が演算される。図５は、二値化された干渉波強度値を示す図である。各強度値は、図５に示すように、所定のしきい値に基づいて二値化され、「１」または「０」の画素値に変換される。
【００２７】
図６は二値画像を示す図、図７は図６のＡ−Ａ断面図である。例えば、画素値「１」が定義された演算点Ｑを含む単位領域Ｕを白画素、画素値「０」が定義された演算点Ｑを含む単位領域Ｕを黒画素として取り扱えば、図６に示すように、白黒の二値画像が得られることになる。この二値画像に基づいて、図７に示すように、白画素の部分を凹部、黒画素の部分を凸部（あるいはその逆）とする物理的な凹凸構造を形成すれば、ホログラム媒体が得られることになる。図６及び図７において、ＤｘとＤｙは単位領域の寸法、d0はスカラー理論による最適溝深さ、dは実際の溝深さを示している。
【００２８】
なお、演算により求められた干渉波強度の階調値を考慮して、各演算点の位置に、それぞれ各演算点についての干渉波強度に対応した段階の溝深さを有する単位領域を割り付けるようにしてもよい。
【００２９】
次に、本実施形態のホログラムの条件について説明する。
【００３０】
本実施形態のホログラムは、薄くないホログラムからなる。薄くないホログラムは、以下の式（Ａ）を満足すると定義する（非特許文献１参照）。
Ｑ＝2πλd/(naΛ2)  ＞  １                      （Ａ）
ただし、λは波長、dは溝深さ、naは平均屈折率[(n1＋n2)/2]、Λは凸部の繰り返し周期である。なお、平均屈折率は、屈折率n1の材料とn2の材料の体積比率が１：１であると仮定している。
【００３１】
まず、透過型ホログラムについて説明する。ホログラムが透過型の場合、スカラー理論による最適溝深さd0は、(n2-n1)d0＝(N-1)λ/Nより、d0＝(N-1)λ/[N(n2-n1)]となる。
【００３２】
式（Ａ）にd＝(d/d0)d0＝(d/d0) (N-1)λ/[N(n2-n1)]、Λ＝2D及びna＝(n1＋n2)/2を代入すると、以下の条件式（１）のように変換される。
(n1D/λ)2 ＜ (d/d0)[(N-1)π/N]/[(n2/n1)2-1]      （１）
ただし、ＤはＤｘ×Ｄｙの単位領域におけるＤｘとＤｙのうち小さい方の寸法、λは記録波長、d0はスカラー理論による最適溝深さ、Nは単位領域の溝の段数、n1は記録材料周囲の屈折率、n2は記録材料の屈折率である。
【００３３】
すなわち、透過型の場合には条件式（１）を満足することで薄くないホログラムを定義することが可能となる。
【００３４】
次に、ホログラムのパターンの細線化について説明する。
【００３５】
図６に示した白黒の二値画像に基づいて、図７に示した白画素の部分を凹部、黒画素の部分を凸部（あるいはその逆）とする物理的な凹凸構造を形成する場合に、単位領域の大きさが記録波長に近づくと、回折角が大きくなり、０次回折光が多くなってしまう。
【００３６】
そこで、本実施形態では、凸部を細線化すると共に、溝深さを深くすることで、ノイズとなる０次光を少なくする。
【００３７】
図８は、凸部を細線化した記録面を示す図である。図８に示すように、本実施形態の細線化とは、隣接する単位領域が凹部単位領域の側の凸部単位領域を細線化率ｒ％の割合で細くするものである。
【００３８】
また、図９は、図８のＢ−Ｂ断面図である。本実施形態では、溝深さｄをスカラー理論による最適溝深さd0＝(N-1)λ/[N(n2-n1)]との比によって定義する。
【００３９】
図１０は、透過型ホログラムを再生した図である。ホログラム２０’のＣＧＨパターンに再生光を照射すると、ホログラム２０’を透過し、像面Ｉに所望の回折光パターンを生成することが可能となる。
【００４０】
次に具体的な実施例について説明する。図１１〜図１７は、回折光のパターンの各実施例を示す図である。図中、各数値は法線からの回折角(°)を示す。また、回折角θは、sinθ＝λ/(n1Λ)で表され、θが最大の時はΛ＝２Ｄ、すなわち単位領域の寸法の２倍となり、回折角を大きくθ＝９０°にするには、単位領域のサイズをn1D/λ≦0.5とする必要がある。また、小さくしすぎると図１１に示すように、次数が高い周囲に回折できない無駄な次数が存在し、回折できる次数の分解能が粗くなる。ここでは、図１４に対して図１１が半分にならない程度の0.35≦n1D/λとした。したがって、単位領域のサイズは、0.35≦n1D/λ≦0.5とした。
【００４１】
図１１は実施例１の回折光パターンを示す図である。実施例１では、所望の回折光を略円形で形成し、単位領域のサイズをn1D/λ＝0.35としたものである。
【００４２】
図１２は実施例２の回折光パターンを示す図である。実施例２では、所望の回折光を略円形で形成し、単位領域のサイズをn1D/λ＝0.40としたものである。
【００４３】
図１３は実施例３の回折光パターンを示す図である。実施例３では、所望の回折光を略円形で形成し、単位領域のサイズをn1D/λ＝0.45としたものである。
【００４４】
図１４は実施例４の回折光パターンを示す図である。実施例４では、所望の回折光を略円形で形成し、単位領域のサイズをn1D/λ＝0.50としたものである。
【００４５】
図１５は実施例５の回折光パターンを示す図である。実施例５では、所望の回折光を四角形で形成し、単位領域のサイズをn1D/λ＝0.40としたものである。
【００４６】
図１６は実施例６の回折光パターンを示す図である。実施例６では、所望の回折光を文字で形成し、単位領域のサイズをn1D/λ＝0.40としたものである。
【００４７】
図１７は実施例７の回折光パターンを示す図である。実施例７では、所望の回折光をディスク形状で形成し、単位領域のサイズをn1D/λ＝0.40としたものである。
【００４８】
次に、実施例１〜７の回折パターンに対して、０次光の回折効率を小さくする場合について説明する。
【００４９】
図１８は、透過型ホログラムの細線化率r1と０次光回折効率の関係を示すグラフである。実線ａは実施例１、長破線ｂは実施例２、短破線ｃは実施例３、長一点鎖線ｅは実施例４、長二点鎖線ｆは実施例５、短一点鎖線ｇは実施例６及び短二点鎖線ｈは実施例７をそれぞれ示している(以下、線と実施例との対応関係はすべてのグラフで同様である。)。
【００５０】
本実施形態における透過型ホログラムの細線化率r1は、図１８に示すように、実施例１〜７のすべてが、細線化率r1＝０％から細線化率r1を大きくしていって、それぞれ自身の細線化率r1＝０％の時の０次光回折効率の値を下回る０次光回折効率の値となる細線化率r1の値以上とし、実施例１〜７のいずれか１つが、細線化率r1＝０％から細線化率r1を大きくしていって、それぞれ自身の細線化率r1＝０％の時の０次光回折効率の値を上回る０次光回折効率の値となる細線化率r1の値以下とする。
【００５１】
具体的には、本実施形態では、実施例７を示す短二点鎖線ｈが自身の細線化率r1＝０％の時の値α１の値を下回る細線化率r1＝８．６％以上とし、実施例５を示す長二点鎖線ｆが自身の細線化率r1＝０％の時の値α２の値を上回る細線化率r1＝１８．４％以下とする。すなわち、以下の条件式（２）を満足することが好ましい。
8.6%  ≦  r1  ≦  18.4%                      （２）
ただし、ｒ1は透過型ホログラムの細線化率である。
【００５２】
図１９は、透過型ホログラムの細線化率r1とd/d0の関係を示すグラフである。
【００５３】
本実施形態における透過型ホログラムの細線化率r1を条件式（２）のように決めた場合、図１９に示すように、実施例１〜７のすべてのd/d0が以下の条件式（３）を満足する。
d/d0  ≧  1.17                                （３）
ただし、d0はスカラー理論による最適溝深さ、dは実際の溝深さである。
【００５４】
図２０は透過型ホログラムの細線化率r1とコントラストの関係を示すグラフである。なお、コントラスト＝０ＤＥ／所望の回折光（図１１〜図１７の回折光パターン）の回折効率の和で、値が小さい方がコントラストは良好である。
【００５５】
図２０に示すように、透過型ホログラムの細線化率r1を条件式（２）のように設定することにより、実施例１〜７のすべてがそれぞれ自身の細線化率０％の時のコントラストの値と略同じ、又は下回る値となり、コントラストが良好となる。
【００５６】
図２１は、図１９と同様、透過型ホログラムの細線化率r1とd/d0の関係を示すグラフである。
【００５７】
図２１では、透過型ホログラムの細線化率r1が条件式（２）を満足する範囲内で、d/d0の最大近似線及び最小近似線を求めたものである。最大近似線β１は、d/d0＝0.0243r1＋1.1571、最小近似線β２は、d/d0＝0.0029r1＋1.1474である。したがって、d/d0は以下の条件式（４）を満足することが好ましい。
0.0029r1＋1.1474  ≦  d/d0  ≦  0.0243r1＋1.1571  （４）
ただし、r1は透過型ホログラムの細線化率、d0はスカラー理論による最適溝深さ、dは実際の溝深さである。
【００５８】
図２２は、透過型ホログラムの細線化率r1とn2/n1の関係を示すグラフである。
【００５９】
図２２では、透過型ホログラムの細線化率r1が条件式（２）を満足する範囲内で、n2/n1の最大近似線及び最小近似線を求めたものである。最大近似線γ１は、n2/n1＝-0.0175r1＋2.7625、最小近似線γ２は、n2/n1＝-0.0343r1＋2.3949である。したがって、n2/n1は以下の条件式（５）を満足することが好ましい。
-0.0343r1＋2.3949  ≦  n2/n1  ≦  -0.0175r1＋2.7625  （５）
ただし、r1は透過型ホログラムの細線化率、n1は記録材料周囲の屈折率、n2は記録材料の屈折率である。
【００６０】
以下に実施例１〜７の透過型ホログラムの数値データを示す。ここで、r1 は透過型ホログラムの細線化率、0DEは０次光回折効率、CONはコントラスト、d/d0 は、実際の溝深さとスカラー理論による最適溝深さの比、n2/n1は、記録材料の屈折率と記録材料周囲の屈折率の比、Ｑは薄くないホログラムの定義式（Ａ）の等式部分を示す。
【００６１】
実施例1
r1           0        5        10       15       20       25       30
0DE        0.039    0.018    0.004    0.001    0.003    0.004    0.003
CON        0.107    0.048    0.011    0.004    0.008    0.010    0.009
d/d0        1.2      1.2      1.3      1.3      1.4      1.5      1.7
n2/n1       2.4      2.4      2.4      2.5      2.1      2.0      2.0
Q          3.2      3.2      3.5      3.2      5.3      6.4      7.3
【００６２】
実施例2
r1           0        5        10       15       20       25       30
0DE        0.047    0.003    0.010    0.005    0.010    0.012    0.017
CON        0.131    0.009    0.028    0.015    0.030    0.043    0.154
d/d0        1.2      1.1      1.4      1.4      1.6      1.8      2.2
n2/n1       2.2      2.8      2.1      2.3      1.9      1.9      1.8
Q          3.1      1.6      4.0      3.2      6.0      6.8      9.6
【００６３】
実施例3
r1           0        5        10       15       20       25       30
0DE        0.007    0.001    0.001    0.001    0.002    0.002    0.002
CON        0.022    0.003    0.004    0.002    0.007    0.009    0.009
d/d0        1.2      1.2      1.2      1.3      1.5      1.7      2.0
n2/n1       2.7      2.9      2.5      2.4      2.3      2.1      2.1
Q          1.5      1.3      1.8      2.1      2.7      3.9      4.5
【００６４】
実施例4
r1           0        5        10       15       20       25       30
0DE        0.014    0.000    0.001    0.001    0.002    0.002    0.002
CON        0.050    0.000    0.003    0.003    0.009    0.012    0.015
d/d0        1.2      1.2      1.2      1.4      1.7      2.1      2.6
n2/n1       2.4      2.5      2.4      2.3      2.1      1.9      1.9
Q          1.6      1.4      1.6      2.1      3.1      5.1      6.3
【００６５】
実施例5
r1           0        5        10       15       20       25       30
0DE        0.006    0.002    0.005    0.003    0.008    0.006    0.030
CON        0.014    0.005    0.009    0.005    0.014    0.013    0.059
d/d0        1.1      1.1      1.2      1.2      1.4      1.9      1.6
n2/n1       3.0      3.1      2.4      2.3      1.8      1.5      1.7
Q          1.3      1.3      2.5      2.7      6.1     14.9      8.3
【００６６】
実施例6
r1           0        5        10       15       20       25       30
0DE        0.023    0.008    0.001    0.001    0.003    0.001    0.003
CON        0.048    0.016    0.002    0.001    0.005    0.001    0.005
d/d0        1.2      1.2      1.2      1.2      1.2      1.3      1.4
n2/n1       2.1      2.1      2.1      1.9      1.8      1.6      1.5
Q          3.5      3.5      3.5      4.5      5.3      8.2     11.0
【００６７】
実施例7
r1           0        5        10       15       20       25       30
0DE        0.005    0.011    0.002    0.001    0.001    0.001    0.001
CON        0.009    0.018    0.003    0.001    0.001    0.001    0.001
d/d0        1.1      1.2      1.2      1.3      1.3      1.4      1.6
n2/n1       2.9      2.1      2.1      1.9      1.7      1.6      1.5
Q          1.5      3.5      3.5      4.9      6.8      8.8     12.6
【００６８】
このように、本実施形態によれば、２次元の透過型ＣＧＨにおいて、回折されない０次回折光成分を小さくし、ノイズを少なくすることが可能なホログラムを提供することが可能となる。また、細線化率と溝深さと屈折率を適切に選択することにより、０次回折光成分をさらに小さくすることが可能となる。
【００６９】
次に、反射型ホログラムについて説明する。まず、反射型ホログラムにおいても、薄くないホログラムからなるので、式（Ａ）を満足する。
【００７０】
ホログラムが反射型の場合、スカラー理論による最適溝深さd0は、2n1d0＝(N-1)λ/Nより、d0＝(N-1)λ/(2Nn1)となる。
【００７１】
式（Ａ）にd＝(d/d0)d0＝(d/d0)(N-1)λ/(2Nn1)及びΛ＝2Dを代入すると、以下の条件式（６）のように変換される。
(n1D/λ)2 ＜ (d/d0)[(N-1)π/N]/[4(na/n1)]       （６）
ただし、ＤはＤｘ×Ｄｙの単位領域におけるＤｘとＤｙのうち小さい方の寸法、λは記録波長、d0はスカラー理論による最適溝深さ、Nは単位領域の溝の段数、n1は記録材料周囲の屈折率、n2は記録材料の屈折率、naは平均屈折率[(n1＋n2)/2]である。
【００７２】
すなわち、反射型の場合には条件式（６）を満足することで薄くないホログラムを定義することが可能となる。
【００７３】
反射型ホログラムのパターンの細線化については、透過型と同様であるので、説明は省略する。
【００７４】
図２３は、反射型ホログラムを再生した図である。ホログラム２０’のＣＧＨパターンに再生光を照射すると、ホログラム２０’で反射し、像面Ｉに所望の回折光パターンを生成することが可能となる。
【００７５】
具体的な実施例については、透過型と同様の実施例１〜７の回折パターンを使用した。
【００７６】
次に、実施例１〜７の回折パターンに対して、０次光の効率が最小になる場合について説明する。
【００７７】
図２４は、反射型ホログラムの細線化率r2と０次光回折効率の関係を示すグラフである。
【００７８】
本実施形態における反射型ホログラムの細線化率r2は、図２４に示すように、実施例１〜７のすべてが、細線化率r2＝０％から細線化率r2を大きくしていって、それぞれ自身の細線化率r2＝０％の時の０次光回折効率の値を下回る０次光回折効率の値となる細線化率r2の値以上とし、実施例１〜７のいずれか１つが、細線化率r2＝０％から細線化率r2を大きくしていって、それぞれ自身の細線化率r2＝０％の時の０次光回折効率の値を上回る０次光回折効率の値となる細線化率r2の値以下とする。
【００７９】
具体的には、本実施形態では、すべての実施例が自身の細線化率r2＝０％の時の値をすぐに下回るので細線化率r2は０％より大きくし、いずれか１つの実施例が自身の細線化率r2＝０％の時の値δ１の値を上回る細線化率r2＝２０％以下とする。すなわち、以下の条件式（７）を満足することが好ましい。
0%  ＜  r2  ≦  20%                             （７）
ただし、r2は反射型ホログラムの細線化率である。
【００８０】
なお、すべての実施例が自身の細線化率r2＝０％の時の値に対して１／２を下回る細線化率r2＝７．２％以上とし、いずれか１つの実施例が自身の細線化率r2＝０％の時の値δ２の値を上回る細線化率r2＝１４％以下とする。すなわち、以下の条件式（７−１）を満足することがより好ましい。
7.2%  ≦  r2  ≦  14%                         （７−１）
【００８１】
図２５は、反射型ホログラムの細線化率r2とd/d0の関係を示すグラフである。
【００８２】
本実施形態における反射型ホログラムの細線化率r2を条件式（７）のように決めた場合、図２５に示すように、実施例１〜７のすべてのd/d0が以下の条件式（８）を満足する。
d/d0  ≧  1.0                                   （８）
ただし、d0はスカラー理論による最適溝深さ、dは実際の溝深さである。
【００８３】
なお、本実施形態における反射型ホログラムの細線化率r2を条件式（７−１）のように決めた場合、図２５に示すように、実施例１〜７のすべてのd/d0が以下の条件式（８−１）を満足する。
d/d0  ≧  1.05                                  （８−１）
ただし、d0はスカラー理論による最適溝深さ、dは実際の溝深さである。
【００８４】
図２６は、反射型ホログラムの細線化率r2とコントラストの関係を示すグラフである。
【００８５】
図２６に示すように、反射型ホログラムの細線化率r2を条件式（７）及び条件式（７−１）のように設定することにより、実施例１〜７のすべてがそれぞれ自身の細線化率０％の時のコントラストの値と略同じ、又は下回る値となる。
【００８６】
図２７は、図２５と同様、反射型ホログラムの細線化率r2とd/d0の関係を示すグラフである。
【００８７】
図２７では、反射型ホログラムの細線化率r2が条件式（７）を満足する範囲内で、d/d0の最大近似線ε１及び最小近似線ε２を求めたものである。最大近似線ε１は、d/d0＝1.3、最小近似線ε２は、0.005r2＋1＝d/d0である。したがって、d/d0は以下の条件式（９）を満足することが好ましい。
0.005r2＋1≦d/d0≦1.3                          （９）
ただし、r2は反射型ホログラムの細線化率、d0はスカラー理論による最適溝深さ、dは実際の溝深さである。
【００８８】
なお、反射型ホログラムの細線化率r2が条件式（７−１）を満足する範囲内では、d/d0の最大近似線ε３は、d/d0＝0.0035r2＋1.231である。したがって、d/d0は以下の条件式（９−１）を満足することが好ましい。
0.005r2＋1≦d/d0≦0.0035r2＋1.231            （９−１）
【００８９】
図２８は、d/d0とn1の値に対する反射回折効率を示すグラフである。
【００９０】
図２８に示すように、以下の条件式（１０）を満足することが好ましい。
n1  ＞  １                                   （１０）
【００９１】
条件式（１０）を満足することで、反射回折効率がほぼ０％でもn1＝１の場合よりも所望の回折光を増加させることが可能となる。
【００９２】
また、条件式（１１）を満足することが好ましい。
d/d0  ＝  1.1                                （１１）
【００９３】
条件式（１１）を満足することで、丸印に示すように、さらに所望の回折光を増加させることが可能となる。
【００９４】
以下に実施例１〜７の反射型ホログラムの数値データを示す。ここで、r2は反射型ホログラムの細線化率、0DEは０次光回折効率、CONはコントラスト、d/d0 は、実際の溝深さとスカラー理論による最適溝深さの比、Ｑは薄くないホログラムの定義式（Ａ）の等式部分を示す。
【００９５】
実施例1
r2           0        5        10       15       20       25       30
0DE        0.057    0.028    0.010    0.014    0.030    0.049    0.102
CON        0.147    0.071    0.025    0.038    0.072    0.117    0.250
d/d0        1.2      1.3      1.2      1.3      1.2      1.2      1.1
Q          3.9      4.3      3.9      4.3      3.9      3.9      3.6
【００９６】
実施例2
r2           0        5        10       15       20       25       30
0DE        0.058    0.017    0.006    0.022    0.055    0.115    0.193
CON        0.157    0.044    0.016    0.060    0.157    0.331    0.631
d/d0        1.3      1.2      1.2      1.2      1.3      1.3      1.1
Q          3.3      3.0      3.0      3.0      3.3      3.3      2.8
【００９７】
実施例3
r2           0        5        10       15       20       25       30
0DE        0.093    0.033    0.002    0.023    0.072    0.151    0.208
CON        0.304    0.098    0.006    0.081    0.270    0.592    0.900
d/d0        1.2      1.1      1.1      1.2      1.2      1.3      1.1
Q          2.4      2.2      2.2      2.4      2.4      2.6      2.2
【００９８】
実施例4
r2           0        5        10       15       20       25       30
0DE        0.105    0.050    0.007    0.013    0.070    0.127    0.198
CON        0.422    0.166    0.021    0.043    0.263    0.450    0.828
d/d0        1.3      1.1      1.05     1.1      1.2      1.3      1.0
Q          2.1      1.8      1.7      1.8      1.9      2.1      1.6
【００９９】
実施例5
r2           0        5        10       15       20       25       30
0DE        0.053    0.032    0.020    0.028    0.043    0.074    0.084
CON        0.097    0.056    0.036    0.051    0.080    0.145    0.176
d/d0        1.0      1.05     1.1      1.1      1.1      1.1      1.1
Q          2.5      2.6      2.8      2.8      2.8      2.8      2.8
【０１００】
実施例6
r2           0        5        10       15       20       25       30
0DE        0.026    0.010    0.005    0.009    0.017    0.035    0.035
CON        0.045    0.017    0.008    0.014    0.028    0.062    0.066
d/d0        1.0      1.05     1.05     1.1      1.1      1.1      1.1
Q          2.5      2.6      2.6      2.8      2.8      2.8      2.8
【０１０１】
実施例7
r2           0        5        10       15       20       25       30
0DE        0.039    0.013    0.002    0.006    0.017    0.046    0.049
CON        0.054    0.017    0.003    0.007    0.023    0.067    0.077
d/d0        1.1      1.1      1.1      1.1      1.1      1.1      1.1
Q          2.8      2.8      2.8      2.8      2.8      2.8      2.8
【０１０２】
このように、本実施形態によれば、２次元の反射型ＣＧＨにおいて、回折されない０次回折光成分を小さくし、ノイズを少なくすることが可能なホログラムを提供することが可能となる。また、細線化率と溝深さを適切に選択することにより、０次回折光成分をさらに小さくすることが可能となる。
【０１０３】
以上、本発明のホログラムを実施形態に基づいて説明してきたが、本発明はこれら実施形態に限定されず種々の変形が可能である。
【符号の説明】
【０１０４】
１０…原画像
２０…記録面
【図１】
2012027049.tif 000003
【図２】
2012027049.tif 000004
【図３】
2012027049.tif 000005
【図４】
2012027049.tif 000006
【図５】
2012027049.tif 000007
【図６】
2012027049.tif 000008
【図７】
2012027049.tif 000009
【図８】
2012027049.tif 000010
【図９】
2012027049.tif 000011
【図１０】
2012027049.tif 000012
【図１１】
2012027049.tif 000013
【図１２】
2012027049.tif 000014
【図１３】
2012027049.tif 000015
【図１４】
2012027049.tif 000016
【図１５】
2012027049.tif 000017
【図１６】
2012027049.tif 000018
【図１７】
2012027049.tif 000019
【図１８】
2012027049.tif 000020
【図１９】
2012027049.tif 000021
【図２０】
2012027049.tif 000022
【図２１】
2012027049.tif 000023
【図２２】
2012027049.tif 000024
【図２３】
2012027049.tif 000025
【図２４】
2012027049.tif 000026
【図２５】
2012027049.tif 000027
【図２６】
2012027049.tif 000028
【図２７】
2012027049.tif 000029
【図２８】
2012027049.tif 000030